(57)【要約】【課題】  同じ屋根面に共存するケースが多い同じ外装材同士および異なる外装材の組み合わせからなる外装構造における外装材の軒棟方向の接続用の全てに使えて共用可能であり、しかも、上部材と下部材の接続部位からの侵入水に備えて雨仕舞いが良好である外装構築用支持部材およびこの支持部材を用いた外装構造を提供すること。【解決手段】  下部材２は、固定脚部２ａ上の軒側起立部２ｃにおける外装材の棟側端部が載乗または取付け可能な軒側載乗取付部２ｆと、棟側起立部２ｄにおける外装材の軒側端部が載乗可能な棟側載乗部２ｇと、排水空間部２ｅ上に位置して、上部材３または上部材３および外装材の軒側端部が取付け可能な被取付部２ｈを有し、上部材３は、棟側載乗部２ｇに外装材の軒側端部を押え可能な棟側押え部３ｃおよび／または軒側載乗取付部２ｆに外装材の軒側端部を押え可能な軒側押え部３ｂを有している。【選択図】  図２
2008095419.tif 000002
【特許請求の範囲】
【請求項１】
軒棟方向に隣り合う同一あるいは異なる外装材を接続可能な上部材と下部材からなる外装構築用支持部材において、
前記下部材は、屋根下地上に取付け可能な固定脚部と、
この固定脚部上の軒側起立部と棟側起立部間における排水空間部と、
前記軒側起立部における外装材の棟側端部が載乗または取付け可能な軒側載乗取付部と、
前記棟側起立部における外装材の軒側端部が載乗可能な棟側載乗部と、
前記排水空間部上に位置して、前記上部材または上部材および外装材の軒側端部が取付け可能な被取付部を有し、
上部材は、前記棟側載乗部に外装材の軒側端部を押え可能な棟側押え部および／または前記軒側載乗取付部に外装材の棟側端部を押え可能な軒側押え部を有していることを特徴とする外装構築用支持部材。
【請求項２】
請求項１記載の支持部材を用いて構築する外装構造において、
屋根下地上に下部材を桁行き方向に配設して固定脚部を取付け固定し、
この下部材における軒側載乗取付部に下段側の太陽電池モジュールの棟側端部を載乗すると共に棟側載乗部に上段側の太陽電池モジュールの軒側端部を載乗し、
排水空間部上の被取付部に上部材を載置して取付け固定して、当該上部材の軒側押え部で下段側の太陽電池モジュールの棟側端部を押えて軒側載乗取付部との間に挟持状に保持し、当該上部材の棟側押え部で上段側の太陽電池モジュールの軒側端部を押えて棟側載乗部との間に挟持状に保持してあることを特徴とする外装構造。
【請求項３】
請求項１記載の支持部材を用いて構築する外装構造において、
屋根下地上に下部材を桁行き方向に配設して固定脚部を取付け固定し、
この下部材における軒側載乗取付部あるいは棟側載乗部のいずれか一方に太陽電池モジュールの端部を載乗し、他方に他の適宜外装材の端部を固定具で取付け固定し、
排水空間部上の被取付部に上部材を載置して取付け固定して、当該上部材で太陽電池モジュールの端部を押えて当該端部が載乗している軒側載乗取付部あるいは棟側載乗部との間に挟持状に保持してあることを特徴とする外装構造。
【発明の詳細な説明】
【技術分野】
【０００１】
本発明は、外装材が、枠材（フレーム）を有しない太陽電池モジュール、軒先納め部材、棟包み部材、屋根材の組み合わせ等からなる外装構造の構築用に有用な支持部材およびこの支持部材を用いて構築した外装構造に関する。
【背景技術】
【０００２】
従来例では、太陽電池モジュールの周縁に枠材を配して「パネル」として敷設するものや、同モジュールを屋根材の表面に一体化（貼着等）して敷設している。
前者の「パネル」として敷設する場合、太陽電池モジュールの水上側、水下側、左右側縁にフレームを取り付けて屋根パネルとして施工するものである（特許文献１および特許文献２参照）。
後者の屋根材の表面に貼着する場合、屋根材の対象部分にモジュール収納用（凹部等）やケーブルの取り出し用開口部等の加工を行い、モジュールを一体化した屋根材を屋根面に施工するものである（特許文献３および特許文献４参照）。
しかし、パネル化するものでは、フレーム材が複数になることが避けられずに材料費の増大や、組み付け（パネル化）に時間を要し、また、屋根材に一体化するものでは、屋根材の成型や一体化作業にコストがかかるという問題があり、特に、屋根上に太陽電池モジュールを敷設し終えるまでの一連の作業手間に関する施工性について、より簡単に、より速く、施工し得るシステムが望まれている。
また、太陽電池モジュールが敷設される屋根面には、太陽電池モジュール同士が接続して敷設されている部位の他に、太陽電池モジュールと軒先納め部材が接続されている部位、太陽電池モジュールと棟包み部材が接続されている部位、太陽電池モジュールと屋根材が接続されている部位が、さらに、屋根材同士が接続して敷設されている部位が、同じ屋根面に共存しているケースが多い。
このような場合、各部位毎にそれぞれ専用の部材を用意して対応しており、部品点数が多くなることで、施工が面倒であるばかりか、部品管理も容易ではないし、製作コストが高くなる。
【特許文献１】特開平９−２７９７９０
【特許文献２】特開平１０−２９４４８５
【特許文献３】特開平６−１４０６５６
【特許文献４】特開平１１−３３０５２５
【発明の開示】
【発明が解決しようとする課題】
【０００３】
解決しようとする課題は、第１には、同じ屋根面に共存するケースが多い同じ外装材同士および異なる外装材の組み合わせからなる外装構造における外装材の軒棟方向の接続用たとえば枠材を有しない太陽電池モジュール同士の接続用、太陽電池モジュールと屋根材の接続用、屋根材同士の接続用の全てに使えて共用可能であり、しかも、上部材と下部材の接続部位からの侵入水に備えて雨仕舞いが良好である外装構築用支持部材を提供することにある。
第２には、上下両段の太陽電池モジュール同士の組み付けを、共用部品である前記支持部材を使えて施工し易く、経済的に安価に構築可能で、雨仕舞いが良好である外装構造を提供することにある。
第３には、太陽電池モジュールと他の適宜外装材の組み付けを、共用部品である前記支持部材を使えて施工し易く、経済的に安価に構築可能で、雨仕舞いが良好である外装構造を提供することにある。
【課題を解決するための手段】
【０００４】
本発明は前記した課題を達成するため、外装構築用支持部材では以下の構成にしたことを特徴とする。
１．軒棟方向に隣り合う同一あるいは異なる外装材を接続可能な上部材と下部材からなる外装構築用支持部材において、前記下部材は、屋根下地上に取付け可能な固定脚部と、この固定脚部上の軒側起立部と棟側起立部間における排水空間部と、前記軒側起立部における外装材の棟側端部が載乗または取付け可能な軒側載乗取付部と、前記棟側起立部における外装材の軒側端部が載乗可能な棟側載乗部と、前記排水空間部上に位置して、前記上部材または上部材および外装材の軒側端部が取付け可能な被取付部を有し、上部材は、前記棟側載乗部に外装材の軒側端部を押え可能な棟側押え部および／または前記軒側載乗取付部に外装材の棟側端部を押え可能な軒側押え部を有していることを特徴とする。
そして、外装構造では以下の構成にしたことを特徴とする。
２．前記した１記載の支持部材を用いて構築する外装構造において、屋根下地上に下部材を桁行き方向に配設して固定脚部を取付け固定し、この下部材における軒側載乗取付部に下段側の太陽電池モジュールの棟側端部を載乗すると共に棟側載乗部に上段側の太陽電池モジュールの軒側端部を載乗し、排水空間部上の被取付部に上部材を載置して取付け固定して、当該上部材の軒側押え部で下段側の太陽電池モジュールの棟側端部を押えて軒側載乗取付部との間に挟持状に保持し、当該上部材の棟側押え部で上段側の太陽電池モジュールの軒側端部を押えて棟側載乗部との間に挟持状に保持してあることを特徴とする。
３．前記した１記載の支持部材を用いて構築する外装構造において、屋根下地上に下部材を桁行き方向に配設して固定脚部を取付け固定し、この下部材における軒側載乗取付部あるいは棟側載乗部のいずれか一方に太陽電池モジュールの端部を載乗し、他方に他の適宜外装材の端部を固定具で取付け固定し、排水空間部上の被取付部に上部材を載置して取付け固定して、当該上部材で太陽電池モジュールの端部を押えて当該端部が載乗している軒側載乗取付部あるいは棟側載乗部との間に挟持状に保持してあることを特徴とする。
【０００５】
本発明における屋根下地とは、ＲＣ、鉄骨造等の新たに構築される公知の屋根下地であっても、窯業、セメント、金属等からなる既設の屋根等であってもよく、さらに、ゴムアス等の防水処理を施したものも含まれる。
支持部材は、桁行き方向に長尺状の上部材と下部材を有している。
下部材は、屋根下地上に取付け可能な固定脚部と、この固定脚部上の軒側起立部と棟側起立部間における排水空間部と、前記軒側起立部における外装材の棟側端部が載乗または取付け可能な軒側載乗取付部と、前記棟側起立部における外装材の軒側端部が載乗可能な棟側載乗部と、前記排水空間部上に位置して、前記上部材または上部材および外装材の軒側端部が取付け可能な被取付部を有しているものであればよい。
上部材は、前記棟側載乗部に外装材の軒側端部を押え可能な棟側押え部および／または前記軒側載乗取付部に外装材の棟側端部を押え可能な軒側押え部を有しているものであればよい。
【０００６】
かかる下部材に対する上部材の取付関係は、ビス等の固定具で固定可能にしてあるものであってもよいし、係止状態にすると共にビス等の固定具で固定可能にしてあるものであってもよく、着脱自在な関係であればよい。
排水空間部は、下部材における端から端まで桁行き方向に連続しているものになり、この排水空間部上に被取付部が位置する上下位置関係になる。
軒側載乗取付部は、太陽電池モジュールの棟側端部が載乗可能または軒先納め部材の棟側部あるいは屋根材の棟側成形部が取付可能な態様のものであればよく、同様に、棟側載乗部は太陽電池モジュールの軒側端部が載乗可能な態様のものであればよい。この軒側載乗取付部と同モジュールの棟側端部との接触面および／または棟側載乗部と同モジュールの軒側端部との接触面には、止水のためのパッキン材を介在させてもよいし、また、接着を目的とする止水シール材あるいは両方を兼ねる粘着性を有するゴム材等を介在させるものでもよい。
【０００７】
外装材としては、太陽電池モジュール、軒先納め部材、棟包み部材、屋根材、その他の屋根面を構成するものが対象になる。
太陽電池モジュールは、正方形あるいは長方形等の適宜板状のもので、周縁部に保護枠体（フレーム）が有ってもよいし、無くてもよい。
また、支持部材における長手方向の排水空間部端縁および軒側排水空間部端縁ならびに棟側排水空間部端縁下側には排水空間を設けるようにしてもよく、この排水空間は、外装材下側の下地面全域に設けられる下葺き材、あるいは、支持部材の長手方向の端部の接続箇所下側に設けられるドレーン（排水部材）、もしくは、双方であってもよい。また、上段側の太陽電池モジュールから棟側載乗部および棟側受け部上に侵入した水（侵入水、結露水）が、支持部材の棟側排水空間部さらに排水空間部上に排出するために、棟側載乗部および棟側受け部上から排水空間部上に通じる「水抜孔」を開けることで排出されるようにしてもよいし、下地上の全部、もしくは部分的に設けられる排水空間に排出するものでもよく、「孔」と「排水空間」の併用であってもよい。
【発明の効果】
【０００８】
Ａ．請求項１により、同じ屋根面に共存するケースが多い同一の外装材および異なる外装材の組み合わせからなる外装構造における外装材の軒棟方向の接続用たとえば枠材を有しない太陽電池モジュール同士の接続用、太陽電池モジュールと屋根材の接続用、屋根材同士の接続用の全てに使えて共用することができるので、製作コストの低減化に大きく貢献できる。
しかも、下部材における排水空間部上に、上部材が取付けられる被取付部を位置させることによって、上部材と下部材の接続部位からの侵入水に備えてあるので、仮に同浸入水があっても不都合がなく雨仕舞いが良好である。
Ｂ．請求項２により、上下両段の太陽電池モジュール同士の組み付けを、共用部品である前記支持部材を使えて施工し易く、経済的に安価に構築できるし、モジュール同士の接続部位における雨仕舞が良好である。
Ｃ．請求項３により、太陽電池モジュールと他の適宜外装材の組み付けを、共用部品である前記支持部材を使えて施工し易く、経済的に安価に構築できるし、モジュールと屋根材の接続部位における雨仕舞が良好である。
【発明を実施するための最良の形態】
【０００９】
図１には本発明の外装構築用支持部材における実施の１形態を例示しており、支持部材１は、流れ方向と交わる桁行き方向に長尺状の押し出し成形された上下一対の下部材２と上部材３で構成されている。
下部材２は、軒側と棟側の固定脚部２ａ間に水平状台座部２ｂを横設してあり、この台座部２ｂ上における軒側起立部２ｃと棟側起立部２ｄ間には排水空間部２ｅを形成してある。
軒側起立部２ｃ上縁には軒側および棟側に延びる軒側載乗取付部２ｆを延設し、この軒側載乗取付部２ｆで太陽電池モジュール８の棟側端部８ａを載乗状態に支持し得るように形成してある。また、軒側載乗取付部２ｆは、軒先納め部材１６あるいは屋根材１９を載乗状態にビスで取付け可能に形成してある。また、軒側載乗取付部２ｆにおける排水空間部２ｅへ張り出ている棟側部分を水返し部２ｆ１として形成することで、排水空間部２ｅ内に入り込んだ侵入水が軒側載乗取付部２ｆ側へ流れるのを阻止し得るようにしてある。
そして、棟側起立部２ｄ上縁には軒側に延びる棟側載乗部２ｇを設け、この棟側載乗部２ｇで太陽電池モジュール８の軒側端部８ｂを載乗状態に支持し得るように形成してある。
かかる棟側載乗部２ｇの軒側すなわち排水空間部２ｅ上には被取付部２ｈを設けてあり、この被取付部２ｈは、上部材３あるいは上部材３および棟包み部材１８あるいは上部材３および屋根材１９を、それぞれ載乗状態にビスで取付け可能に形成してある。
【００１０】
軒側載乗取付部２ｆ下側の台座部２ｂ上には軒側受け部２ｉを上位の軒側載乗取付部２ｆと上下対向状に設けてあり、この軒側載乗取付部２ｆと軒側受け部２ｉ間の軒側に向けて開口している差込部２ｊには、桁行き方向に隣り合う太陽電池モジュール８の左右の側縁部８ｃを保持する接続部材１０における下接続部材１１の棟側端部１１ｄが挿入可能に形成してある。差込部２ｊの軒側端すなわち台座部２ｂの軒側端には水返し部２ｋを突設することで、差込部２ｊ内を軒側排水空間部２ｎとして形成してある。
また、台座部２ｂの棟側端すなわち棟側起立部２ｄにおける棟側載乗部２ｇの棟側下位には上面開放状の棟側受け部２ｍを突設してあり、この棟側受け部２ｍは、下接続部材１１の軒側端部１１ｄを載乗可能に突設形成してある。棟側受け部２ｍと棟側起立部２ｄとの間における台座部２ｂ上には棟側排水空間部２ｐを形成してある。
【００１１】
上部材３は、水平状取付部３ａを下部材２の被取付部２ｈにビス９で取付け固定可能に形成してある。この取付部３ａの軒側には軒側押え部３ｂを垂設し、この軒側押え部３ｂで太陽電池モジュール８の棟側端部８ａを下部材２の軒側載乗取付部２ｆに押え可能に形成してある。また、取付部３ａの棟側には棟側押え部３ｃを延設し、この棟側押え部３ｃで太陽電池モジュール８の軒側端部８ｂを下部材２の棟側載乗部２ｇに押え可能に形成してある。
【００１２】
図２〜図３には本発明の外装構築用支持部材を用いた外装構造における実施の１形態として、前記した図１の支持部材を用いて太陽電池モジュールからなる屋根面を構築した例を示しており、下地４全域に敷設された下葺き部材５上の流れ方向（軒棟方向）に沿う垂木６上に支持部材１を桁行き方向に架設して上下平行状に配設してある。この支持部材１における下部材２は棟側と軒側の固定脚部２ａを垂木６の上面部６ａにビス７で固定してある。また、支持部材１の長手方向の端縁下側の下葺き部材５上には排水空間５ａを設けてある。
かかる下部材２の軒側載乗取付部２ｆには下段側の太陽電池モジュール８の棟側端部８ａを載乗し、棟側載乗部２ｇには上段側の太陽電池モジュール８の軒側端部８ｂを載乗してある。そして、この軒棟方向に隣り合う太陽電池モジュール８の棟側端部８ａと軒側端部８ｂ上には上部材３を跨るように覆設して被取付部２ｈにビス９で取付け固定し、上部材３で棟側端部８ａおよび軒側端部８ｂをそれぞれ上側から押え付けて、軒側押え部３ｂと軒側載乗取付部２ｆとの間に下段側の太陽電池モジュール８の棟側端部８ａを挟持状に保持し且つ棟側押え部３ｃと棟側載乗部２ｇとの間に上段側の太陽電池モジュール８の軒側端部８ｂを挟持状に保持して組み付けてある。
【００１３】
太陽電池モジュール８は、矩形状の板状のもので、棟側端部８ａを軒側押え部３ｂと軒側載乗取付部２ｆとの間に、棟側端部８ｂを棟側押え部３ｃと棟側載乗部２ｇとの間に、左右の側縁部８ｃを接続部材１０における下接続部材１１と上接続部材１２との間に、それぞれパッキン１３を経て挟持状に保持してあり、同モジュール８における四辺全ての水密性が保たれた保持関係にしてある。
この太陽電池モジュール８の桁行き方向に隣り合う左右の側縁部８ｃは、接続部材１０すなわち下接続部材１１と上接続部材１２で挟持状に保持している。
【００１４】
接続部材１０は、上段側の支持部材１における差込部２ｊと下段側の支持部材１における棟側受け部２ｍ間に亘る長さの下接続部材１１と、軒側押え部３ｂと棟側押え部３ｃとの間の長さ状の上接続部材１２からなり、下接続部材１１には中央の固定部１１ａの左右に載乗部１１ｂを、この載乗部１１ｂの左右に排水部１１ｃを、それぞれ延設し、上接続部材１２には左右の押え部１２ａを設けてある。
この下接続部材１１は、棟側端部１１ｄを差込部２ｊに挿入状に収め、軒側端部１１ｅを棟側受け部２ｍに載置し且つビス１４で軒側端部１１ｅを棟側受け部２ｍに止着して上下段の下部材２間に架橋状に取り付けてある。
そして、下接続部材１２の左右の載乗部１１ｂと上接続部材１２の左右の押え部１２ａとの間には、桁行き方向に隣り合う太陽電池モジュール８の左右の側縁部８ｃをそれぞれ挟持して、ビス１５で下接続部材１１と上接続部材１２を固定することにより、太陽電池モジュール８の左右の側縁部８ｃを挟持状に保持してある。
【００１５】
これにより、屋根面を構成する上段側と下段側の太陽電池モジュール８は支持部材１に対して、棟側端部８ａと軒側端部８ｂを下部材２と上部材３でそれぞれ挟持状に保持されている一方で、左右の側縁部８ｃを接続部材１０で挟持状に保持されて組み付けられている。
そして、太陽電池モジュール８を点検、補修、交換する等のメンテナンス時には、ビス９，１５を外して、上部材３と上接続部材１２を取り外すことで、軒側載乗取付部２ｆおよび棟側載乗部２ｇそして載乗部１１ｂから太陽電池モジュール８を引き上げて取り外せる。
【００１６】
図４には本発明の外装構築用支持部材を用いた外装構造における実施の１形態として、前記した図１の支持部材を用いて上段側の太陽電池モジュールと屋根材の一部である下段側の軒先納め部材からなる屋根面を構築した例を示しており、構成は前記した図２に例示した態様のものと基本的に同一であるため、共通している構成の説明は符号を準用して省略し、相違する構成について説明する。
下部材２の軒側載乗取付部２ｆには軒先納め部材１６における棟側部１６ａをビス１７で取付け固定してある。
軒先納め部材１６の棟側部１６ａにおける棟側水返し部１６ｂは、排水空間部２ｅ内を軒側押え部３ｂ裏側にまで達しており、仮に侵入水が棟側水返し部１６ｂを越えて排水空間部２ｅ内に入り込むようなことが発生したとしても当該排水空間部２ｅに誘導されて排水されるようにしてある。
これにより、屋根面を構成する上段側の太陽電池モジュール８と下段側の軒先納め部材１６は支持部材１に対して、軒側端部８ｂを下部材２と上部材３で挟持状に保持されている一方で、棟側部１６ａを軒側載乗取付部２ｆにビス１７で取付け固定されて組み付けられている。
そして、太陽電池モジュール８、軒先収め部材１６を点検、補修、交換する等のメンテナンス時には、ビス９，１５，１７を外して軒先収め部材１６および上部材３と上接続部材１２を取り外すことで、棟側載乗部２ｇから太陽電池モジュール８を引き上げて取り外せるし、軒先納め部材１６を取り外せる。
【００１７】
図５には本発明の外装構築用支持部材を用いた外装構造における実施の１形態として、前記した図１の支持部材を用いて屋根材の一部である上段側の棟包み部材と下段側の太陽電池モジュールからなる屋根面を構築した例を示しており、構成は前記した図２に例示した態様のものと基本的に同一であるため、共通している構成の説明は符号を準用して省略し、相違する構成について説明する。
下部材２の被取付部２ｈには上部材３の取付部３ａを棟包み部材１８における軒側部１８ａともどもビス９で取付け固定してある。
これにより、屋根面を構成する上段側の棟包み部材１８と下段側の太陽電池モジュール８は支持部材１に対して、モジュールの棟側端部８ａを下部材２と上部材３で挟持状に保持されている一方で、棟包み部材１８の軒側部１８ａを上部材３ともども被取付部２ｈにビス９で取付け固定されて組み付けられている。
そして、太陽電池モジュール８あるいは棟包み部材１８を点検、補修、交換する等のメンテナンス時には、ビス９，１５を外して棟包み部材１８および上部材３と上接続部材１２を取り外すことで、軒側載乗取付部２ｆから太陽電池モジュール８を引き上げて取り外せるし、棟包み部材１８を取り外せる。
【００１８】
図６には本発明の外装構築用支持部材を用いた外装構造における実施の１形態として、前記した図１の支持部材を用いて上下段が屋根材からなる屋根面を構築した例を示しており、構成は前記した図２に例示した態様のものと基本的に同一であるため、共通している構成の説明は符号を準用して省略し、相違する構成について説明する。
下部材２の軒側載乗取付部２ｆには下段側の屋根材１９における棟側成形部１９ａをビス１７で取付け固定してある。
この下段側の屋根材１９の棟側成形部１９ａにおける棟側水返し部１９ｂは、排水空間部２ｅ内を軒側押え部３ｂ裏側にまで達しており、仮に侵入水が棟側水返し部１９ｂを越えて排水空間部２ｅ内に入り込むようなことが発生したとしても当該排水空間部２ｅに誘導されて排水されるようにしてある。
下部材２の被取付部２ｈには上部材３の取付部３ａを上段側の屋根材１９における軒側成形部１９ｃともどもビス９で取付け固定してある。
これにより、屋根面を構成する上下段の屋根材１９は支持部材１に対して、ビス９，１７で止着されて組み付けられている。
そして、屋根材１９を点検、補修、交換する等のメンテナンス時には、ビス９，１７を外して棟側成形部１９ａおよび軒側成形部１９ｃを取り外すことで行える。
【００１９】
このように、前記した支持部材１を共通部品とすることで、同じ屋根面に共存することが多い太陽電池モジュール８同士による接続構成、太陽電池モジュール８と軒先納め部材１６あるいは棟包み部材１８による接続構成、屋根材１９同士による接続構成の全てを構築できる。
また、前記した支持部材１を共通部品とすることにより、太陽電池モジュール８同士が接続する屋根面を、太陽電池モジュール８と軒先納め部材１６あるいは棟包み部材１８が接続する屋根面を、屋根材１９同士が接続する屋根面を、それぞれ構築できる。
したがって、支持部材１を共用できることで、外装材別に専用の支持部材を用意する必要がなくなり、部品点数が少なくなることで、施工が容易であり、部品管理もし易く、製作コストが安価に済む。
【図面の簡単な説明】
【００２０】
【図１】本発明の外装構築用支持部材における実施の１形態を例示している斜視図で、（ａ）は上部材を、（ｂ）は下部材を示している。
【図２】本発明の外装構築用支持部材を用いた外装構造における実施の１形態として、太陽電池モジュールからなる屋根面を構築した例を示す縦断面図。
【図３】部分拡大縦断正面図。
【図４】本発明の外装構築用支持部材を用いた外装構造における実施の１形態として、太陽電池モジュールと軒先納め部材からなる屋根面を構築した他の例を示す縦断面図。
【図５】本発明の外装構築用支持部材を用いた外装構造における実施の１形態として、太陽電池モジュールと棟包み部材からなる屋根面を構築した他の例を示す縦断面図。
【図６】本発明の外装構築用支持部材を用いた外装構造における実施の１形態として、屋根材からなる屋根面を構築した例を示す縦断面図。
【符号の説明】
【００２１】
１  支持部材
２  下部材
２ａ  固定脚部
２ｂ  台座部
２ｃ  軒側起立部
２ｄ  棟側起立部
２ｅ  排水空間部
２ｆ  軒側載乗取付部
２ｆ１  水返し部
２ｇ  棟側載乗部
２ｈ  被取付部
２ｉ  軒側受け部
２ｊ  差込部
２ｋ  水返し部
２ｎ  軒側排水空間部
２ｍ  棟側受け部
２ｐ  棟側排水空間部
３  上部材
３ａ  取付部
３ｂ  軒側押え部
３ｃ  棟側押え部
４  下地
５  下葺き部材
６  垂木
６ａ  上面部
７，９，１４，１５，１７  ビス
８  太陽電池モジュール
８ａ  棟側端部
８ｂ  軒側端部
８ｃ  側縁部
１０  接続部材
１１  下接続部材
１１ａ  固定部
１１ｂ  載乗部
１１ｃ  排水部
１１ｄ  棟側端部
１１ｅ  軒側端部
１２  上接続部材
１２ａ  押え部
１６  軒先納め部材
１６ａ  棟側部
１６ｂ  棟側水返し部
１８  棟包み部材
１８ａ  軒側部
１９  屋根材
１９ａ  棟側成形部
１９ｂ  棟側水返し部
１９ｃ  軒側成形部
【図１】
2008095419.tif 000003
【図２】
2008095419.tif 000004
【図３】
2008095419.tif 000005
【図４】
2008095419.tif 000006
【図５】
2008095419.tif 000007
【図６】
2008095419.tif 000008